(57)【特許請求の範囲】
【請求項１】
接点を開閉するために入状態及び切状態のいずれかに切換可能な操作スイッチを有する複数の遮断器と、
前記複数の遮断器を収納すると共に開口を有する筐体と、
前記筐体の開口を閉塞可能な扉と、
前記扉側において前記操作スイッチに対面する位置にそれぞれ取り付けられる突状の着脱部材と、を備え、
前記操作スイッチは、前記筐体側に取り付けられた状態で前記扉に向かって突出しており、
前記各々の着脱部材は、前記操作スイッチの入状態及び切状態にそれぞれ対応する２つの位置に着脱可能に構成され、前記操作スイッチの状態に対応する位置にある場合には、当該操作スイッチに干渉せずに前記扉が閉ることを許容し、前記操作スイッチの状態に対応しない位置にある場合には、当該操作スイッチと干渉して前記扉が閉ることを禁止するように、遮断器との位置関係が設定されていることを特徴とする配電盤。
【請求項２】
前記着脱部材は、ネジ孔及び対応する雄ネジ構造によって前記扉側に対して着脱可能に構成されている請求項１に記載の配電盤。
【請求項３】
前記着脱部材は、前記ネジの軸を中心とする円柱状又は円筒状に形成されている請求項２に記載の配電盤。
【請求項４】
前記着脱部材は、中空部を有する円筒形状をなし、前記中空部は、前記扉側に固定するための雄ネジを挿通可能に形成されている請求項２又は３に記載の配電盤。
【請求項５】
前記着脱部材を取り付けるための金属製の帯状土台部を更に備え、
前記扉は、板状の扉板部を有し、前記帯状土台部は、前記扉板部に対して少なくとも複数箇所が固定されている請求項１〜４のいずれかに記載の配電盤。
【発明の詳細な説明】
【技術分野】
【０００１】
本発明は、配線用遮断器を複数有する配電盤に関する。
【背景技術】
【０００２】
分電盤等の配電盤は、例えば特許文献１に例示するように、接点を開閉するための突状の操作スイッチを有する複数の遮断器と、複数の遮断器を収容すると共に開口を有する箱形の筐体と、筐体の開口を閉塞する扉と、を有する。このような配電盤は、電車の各駅や工場などの施設に多数設けられる。
【先行技術文献】
【特許文献】
【０００３】
【特許文献１】特開２００１−３４６３０５号公報
【発明の概要】
【発明が解決しようとする課題】
【０００４】
配電盤の遮断器自体の交換や配線交換、夜間停電作業を行う場合に、配線用遮断器を開放してから作業を行うが、作業開始前の遮断器の操作スイッチの状態（どの遮断器の操作スイッチが入状態又は切状態であるか）を、テプラ（登録商標）等の目印や写真撮影等により記録することが考えられる。しかし、一つの配電盤には遮断器が複数あり、更に配電盤自体が多数設けられていることから、記録すべきスイッチが膨大になり、目印自体が剥がれてしまったり、記録は正しいものの人為的ミスにより間違えたりし、配線用遮断器のスイッチ状態が工事前後で異なってしまうおそれがある。この場合、必要な箇所に電気が来ないといった事態が生じ得る。
【０００５】
本発明は、このような課題に着目してなされたものであって、その目的は、人為的ミスに起因する遮断器のスイッチ状態の復元ミスを防止する配電盤を提供することである。
【課題を解決するための手段】
【０００６】
本発明は、上記目的を達成するために、次のような手段を講じている。
【０００７】
すなわち、本発明の配電盤は、接点を開閉するために入状態及び切状態のいずれかに切換可能な操作スイッチを有する複数の遮断器と、前記複数の遮断器を収納すると共に開口を有する筐体と、前記筐体の開口を閉塞可能な扉と、前記扉側において前記操作スイッチに対面する位置にそれぞれ取り付けられる突状の着脱部材と、を備え、前記操作スイッチは、前記筐体側に取り付けられた状態で前記扉に向かって突出しており、前記各々の着脱部材は、前記操作スイッチの入状態及び切状態にそれぞれ対応する２つの位置に着脱可能に構成され、前記操作スイッチの状態に対応する位置にある場合には、当該操作スイッチに干渉せずに前記扉が閉ることを許容し、前記操作スイッチの状態に対応しない位置にある場合には、当該操作スイッチと干渉して前記扉が閉ることを禁止するように、遮断器との位置関係が設定されていることを特徴とする。
【０００８】
この構成によれば、工事前等、遮断器の操作スイッチが正しい状態にある場合に各操作スイッチの状態に対応する位置に着脱部材を取り付けておき、扉が閉るようにしておけば、工事後に操作スイッチが１つでも間違った状態にあれば操作スイッチと着脱部材が干渉して扉が閉らないので、作業者は扉が閉らないことをもって操作スイッチの状態に誤りがあることを認識でき、遮断器の操作スイッチの復元ミスを的確に防止することが可能となる。
【０００９】
着脱部材が簡単に外れることなく、遮断器の操作スイッチの正しい位置を記録可能にするためには、前記着脱部材は、ネジ孔及び対応する雄ネジ構造によって前記扉側に対して着脱可能に構成されていることが好ましい。
【００１０】
取り扱いやすさを向上させるためには、前記着脱部材は、前記ネジの軸を中心とする円柱状又は円筒状に形成されていることが好ましい。
【００１１】
コストを低減させるためには、前記着脱部材は、中空部を有する円筒形状をなし、前記中空部は、前記扉側に固定するための雄ネジを挿通可能に形成されていることが好ましい。
【００１２】
耐久力を向上させるためには、前記着脱部材を取り付けるための金属製の帯状土台部を更に備え、前記扉は、板状の扉板部を有し、前記帯状土台部は、前記扉板部に対して少なくとも複数箇所が固定されていることが好ましい。
【図面の簡単な説明】
【００１３】
【図１】本発明の配電盤を示す斜視図。
【図２】扉が閉まることが許容される状態を示す模式横断面図。
【図３】扉が閉まることが禁止される状態を示す模式横断面図。
【発明を実施するための形態】
【００１４】
本発明の好適な実施形態について図面を用いて説明する。
【００１５】
図１に示すように、配電盤は、操作スイッチ１０を有する複数の遮断器１と、複数の遮断器１を収納すると共に開口２０を有する筐体２と、筐体２の開口２０を閉塞可能な扉３と、を有する。
【００１６】
遮断器１の操作スイッチ１０は、接点を開閉するために入状態及び切状態のいずれかに切換可能であり、筐体２側に取り付けられた状態で扉３に向かって突出している。
【００１７】
筐体２は、図１及び図２に示すように、開口２０を有する箱形をなし、天板部２１、背板部２２、側板部２３及び底板部（図示せず）で、遮断器１を含む電気機器を収納する空間を形成している。図２に示すように、配電盤を構成する各電気機器（遮断器１を含む）は中板４に取り付けられ、中板４が背板部２２に取り付けられる。図１及び図２に示すように、遮断器１を含む電気機器の正面側（扉３側）には、遮断器１に対応する覗き窓５０が形成された化粧板５が取り付けられ、遮断器１の操作スイッチ１０が覗き窓５０から正面側（扉３側）に露出している。化粧板５は、内部の電気機器の導電部を遮蔽して安全性を確保すると共に、見栄えを向上させるために設けられる。
【００１８】
図１及び図２に示すように、扉３側において操作スイッチ１０に対面する位置には、突状の着脱部材６がそれぞれ取り付けられている。扉３は、板状の扉板部３０を有し、扉板部３０には、着脱部材６を取り付けるための金属製の帯状土台部３１が取り付けられている。帯状土台部３１は、鉛直方向に長い扉板部３０に合致するように、鉛直方向に沿って延びている。帯状土台部３１は、少なくとも上下の２箇所においてスタッド溶接を用いて固定されている。これにより、帯状土台部３１がリブのように扉板部３０を補強することになる。帯状土台部３１は、左右に異なる色（例えば赤、緑）で塗り分けられている。勿論、帯状土台部３１の固定箇所、固定方法は適宜変更可能である。帯状土台部３１には、着脱部材６側の雄ネジｖｏを固定可能なネジ孔３２が形成され、着脱部材６は、ネジ孔３２及び対応する雄ネジ構造によって扉３側に着脱可能に構成されている。ネジ孔３２は、１つの操作スイッチ１０に対し左右２箇所に形成されており、これにより、着脱部材６は、操作スイッチ１０の入状態及び切状態にそれぞれ対応する２つの位置に着脱可能に構成される。なお、本実施形態では、遮断器１は、筐体中心に対して左右対称に配置されているので、操作スイッチ１０の入状態は左右対称となる。
【００１９】
着脱部材６は、図２に示すように操作スイッチ１０の状態に対応する位置にある場合には、当該操作スイッチ１０に干渉せずに扉３が閉ることを許容し、図３に示すように操作スイッチ１０の状態に対応しない位置にある場合には、当該操作スイッチ１０と干渉して扉３が閉ることを禁止するように、相手側の遮断器１との位置関係（位置、着脱部材６の寸法を含む）が設定されている。例えば、図２に示すように、操作スイッチ１０の入状態に対応する位置ｐ１に着脱部材６が取り付けられている場合には、同図に示すように操作スイッチ１０が入状態であれば着脱部材６が干渉せずに扉３が閉まる。一方、図３に示すように操作スイッチ１０が切状態であれば着脱部材６が操作スイッチ１０の状態に対応しない位置ｐ２にあるので、着脱部材６と操作スイッチ１０が干渉して扉３が閉らない。逆も同様で、図２に示すように操作スイッチ１０の切状態に対応する位置ｐ３に着脱部材６が取り付けられている場合には、操作スイッチ１０が切状態であれば着脱部材６と干渉せずに扉３が閉まる。一方、図３に示すように操作スイッチ１０が入状態であれば着脱部材６が操作スイッチ１０の状態に対応しない位置ｐ４にあるので、着脱部材６と操作スイッチ１０が着脱部材６と干渉して扉３が閉らない。
【００２０】
着脱部材６は、図１に示すように、ネジｖｏの軸を中心とする円筒状に形成されている。着脱部材６がネジｖｏの軸を中心とする外縁を有する円筒状（又は円柱状）でなく、例えば三角柱又は四角柱であれば、取り付け時の回転角度に応じて角部が操作スイッチ１０に誤って干渉してしまうおそれがある。一方、着脱部材６がネジの軸を中心とする円柱状又は円筒状であれば、取り付け時の回転角度がどのような角度であっても、角部がないので着脱部材６が操作スイッチに干渉することなく、取り扱いやすくなる。
【００２１】
本実施形態では、着脱部材６は、中空部を有する円筒形状をなし、中空部は、扉側に固定するための雄ネジｖｏを挿通可能に形成されている。これによれば、汎用の雄ネジ（ビス）を利用することができ、コスト削減に効果がある。
【００２２】
着脱部材６の材質としては、遮断器１の操作スイッチ１０が樹脂であることから、樹脂製であることが好ましい。着脱部材６は、次の点を克服できれば金属製又はゴム製にすることも可能である。着脱部材６が金属製であれば、着脱部材６と操作スイッチ１０が接触したときに操作スイッチ１０を損傷するおそれがある。着脱部材６がゴム製であれば、着脱部材６と操作スイッチ１０が接触したときに着脱部材６が操作スイッチ１０と干渉するものの、弾性変形して扉３が閉まることを許容するおそれがある。
【００２３】
以上のように、本実施形態の配電盤は、接点を開閉するために入状態及び切状態のいずれかに切換可能な操作スイッチ１０を有する複数の遮断器１と、複数の遮断器１を収納すると共に開口２０を有する筐体２と、筐体２の開口２０を閉塞可能な扉３と、扉３側において操作スイッチ１０に対面する位置にそれぞれ取り付けられる突状の着脱部材６と、を備え、操作スイッチ１０は、筐体２側に取り付けられた状態で扉３に向かって突出しており、各々の着脱部材６は、操作スイッチ１０の入状態及び切状態にそれぞれ対応する２つの位置に着脱可能に構成され、操作スイッチ１０の状態に対応する位置にある場合には、操作スイッチ１０に干渉せずに扉３が閉ることを許容し、操作スイッチ１０の状態に対応しない位置にある場合には、操作スイッチ１０と干渉して扉３が閉ることを禁止するように、遮断器１との位置関係が設定されている。
【００２４】
この構成によれば、工事前等、遮断器１の操作スイッチ１０が正しい状態にある場合に各操作スイッチ１０の状態に対応する位置に着脱部材６を取り付けておき、扉３が閉るようにしておけば、工事後に操作スイッチ１０が１つでも間違った状態にあれば操作スイッチ１０と着脱部材６が干渉して扉３が閉らないので、作業者は扉３が閉らないことをもって操作スイッチ１０の状態に誤りがあることを認識でき、遮断器１の操作スイッチ１０の復元ミスを的確に防止することが可能となる。
【００２５】
特に、本実施形態では、着脱部材６は、ネジ孔３２及び対応する雄ネジ構造によって扉３側に対して着脱可能に構成されている。
【００２６】
このように、ネジ孔及び雄ネジ構造であれば、着脱部材６を扉３側に適切に固定できるので、着脱部材６が簡単に外れることなく、遮断器１の操作スイッチ１０の正しい位置を記録可能となる。
【００２７】
本実施形態では、着脱部材６は、ネジの軸を中心とする円柱状又は円筒状に形成されている。
【００２８】
着脱部材がネジの軸を中心とする円柱形状でなく、例えば三角柱、四角柱であれば、取り付け時の回転角度に応じて角部が操作スイッチに誤って干渉してしまうことが考えられる。本実施形態のように、着脱部材がネジの軸を中心とする円柱形状であれば、取り付け時の回転角度がどのような角度であっても着脱部材が操作スイッチに干渉することなく、取り扱いやすさを向上させることが可能となる。
【００２９】
本実施形態では、着脱部材６は、中空部を有する円筒形状をなし、中空部は、扉３側に固定するための雄ネジｖｏを挿通可能に形成されている。
【００３０】
この構成であれば、汎用の雄ネジｖｏ（ビス）を利用でき、コストを低減させることが可能となる。
【００３１】
本実施形態では、着脱部材６を取り付けるための金属製の帯状土台部３１を更に備え、扉３は、板状の扉板部３０を有し、帯状土台部３１は、扉板部３０に対して少なくとも複数箇所が固定されている。
【００３２】
この構成によれば、帯状土台部３１が、扉板部３０に対して追加のリブとして機能するので、扉板部３０を補強し、耐久力を向上させることが可能となる。
【００３３】
本発明は上述した実施形態に何ら限定されるものではなく、本発明の趣旨を逸脱しない範囲内で種々の改良変更が可能である。
【００３４】
例えば、本実施形態では、雄ネジｖｏが着脱部材６側に設けられ、ネジ孔３２が扉３側に設けられているが、雄ネジｖｏを扉側に設け、対応するネジ孔３２を着脱部材６側に設けてもよい。また、着脱部材６と雄ネジｖｏは別体であるが、一体形成してもよい。
【００３５】
本実施形態では、着脱部材６は、円筒状であるが、円柱状でもよく、三角形、四角形、五角形などの多角形柱にすることも可能である。その他、種々の形状を採用できる。
【００３６】
本実施形態では、着脱部材６は、ネジ孔及び雄ネジ構造で着脱可能に構成されているが、その他の構造で着脱可能に構成されていてもよい。
【００３７】
上記では、配電盤として分電盤を例に挙げて説明したが、制御盤としての配電盤にも本発明は適用可能である。
【符号の説明】
【００３８】
１…遮断器
１０…操作スイッチ
２…筐体
２０…開口
３…扉
３１…帯状土台部
３０…扉板部
６…着脱部材
３２…ネジ孔
ｖｏ…雄ネジ
【図１】
0006284868.tif 000002
【図２】
0006284868.tif 000003
【図３】
0006284868.tif 000004